(57)【特許請求の範囲】
【請求項１】
シートバックフレーム及び２つの腰当て部材を備えた、椅子用腰当て構造であって、
前記シートバックフレームは、可撓性を有し、前記シートバックフレームには、中空領域が形成され、
前記シートバックフレームの左右両側には、互いに対をなす２つの弾性当接リブが一体成形され、
前記弾性当接リブは、前記中空領域に向かって延びるとともに、前記中空領域の左右両側にそれぞれ位置し、
２つの前記弾性当接リブには、位置規制部がそれぞれ設けられ、
前記腰当て部材は、スイングアームと、前記スイングアームに結合された腰当てクッションと、をそれぞれ有し、
前記腰当て部材の前記スイングアームには、互いに対をなす第１の端部及び第２の端部が設けられ、
２つの前記腰当て部材の前記スイングアームは、前記第１の端部に前記シートバックフレームの左右両側の杆部がそれぞれ枢着され、前記第２の端部に停止杆及び位置決め杆が互いに離隔されるように配置され、
前記停止杆の端部には、挟持部が設けられ、
２つの前記腰当て部材の前記停止杆の挟持部は、前記シートバックフレームの２つの前記弾性当接リブの前記位置規制部をそれぞれ挟持し、
前記位置決め杆には、弾性部が形成され、前記位置決め杆の端部には押圧部が形成され、
２つの前記腰当て部材の前記位置決め杆の前記押圧部が、前記シートバックフレームの２つの前記弾性当接リブに当接されて位置決めされることを特徴とする、
椅子用腰当て構造。
【請求項２】
前記腰当て部材の前記スイングアームの前記第１の端部には、嵌入溝が形成され、前記腰当てクッションには、周側が前記腰当てクッションから分離されて一側だけが前記腰当てクッションに接続された弾片が設けられ、前記腰当てクッションの前記弾片が前記スイングアームの前記嵌入溝に対応して嵌着されることを特徴とする請求項１に記載の椅子用腰当て構造。
【請求項３】
前記シートバックフレームは、左右対称に縦向きに設けられた第１の杆部及び第２の杆部と、上下対称に横向きに設けられた第３の杆部及び第４の杆部と、を有し、前記第３の杆部及び前記第４の杆部の両端は、前記第１の杆部及び前記第２の杆部の両端にそれぞれ接続され、前記第１の杆部、前記第２の杆部、前記第３の杆部及び前記第４の杆部により中空領域が画成され、２つの前記弾性当接リブは、第１の弾性当接リブ及び第２の弾性当接リブを含み、前記第１の弾性当接リブの上下両端は、前記第１の杆部の上縁及び下縁にそれぞれ接続され、前記第２の弾性当接リブの上下両端は、前記第２の杆部の上縁及び下縁にそれぞれ接続され、前記第１の杆部及び前記第２の杆部には、第１の枢着部がそれぞれ設けられ、２つの前記腰当て部材の前記スイングアームの第１の端部には、第２の枢着部が設けられ、２つの前記腰当て部材の前記スイングアームの前記第２の枢着部には、前記シートバックフレームの前記第１の杆部及び前記第２の杆部の前記第１の枢着部が枢着されることを特徴とする請求項１に記載の椅子用腰当て構造。
【請求項４】
前記シートバックフレームの前記第１の弾性当接リブは、前記第１の杆部の上縁から前記中空領域の中央に向かって傾きながら下方へ延びる第１の下斜め部と、前記第１の杆部の下縁から前記中空領域の中央に向かって傾きながら上方へ延びる第１の上斜め部と、前記第１の下斜め部と前記第１の上斜め部との間に接続され、前記中空領域の中央に向かって弧状突設された第１の湾曲部と、を有し、前記第２の弾性当接リブは、前記第２の杆部の上縁から前記中空領域の中央に向かって傾きながら下方へ延びる第２の下斜め部と、前記第２の杆部の下縁から前記中空領域の中央に向かって傾きながら上方へ延びる第２の上斜め部と、前記第２の下斜め部と前記第２の上斜め部との間に接続され、前記中空領域の中央に向かって弧状突設された第２の湾曲部と、を有し、前記シートバックフレームの前記第１の杆部及び前記第２の杆部の第１の枢着部は、前記第１の弾性当接リブの前記第１の湾曲部及び前記第２の弾性当接リブの前記第２の湾曲部に対向した箇所に位置し、２つの前記腰当て部材の前記位置決め杆の前記押圧部が前記第１の弾性当接リブの前記第１の上斜め部及び前記第２の弾性当接リブの前記第２の上斜め部に当接されて位置決めされることを特徴とする請求項３に記載の椅子用腰当て構造。
【請求項５】
前記シートバックフレームの前記第１の弾性当接リブ及び前記第２の弾性当接リブの前記第１の湾曲部及び前記第２の湾曲部には、前記第１の湾曲部及び前記第２の湾曲部の長手方向に沿った第１の位置規制部及び第２の位置規制部が設けられ、２つの前記腰当て部材の前記停止杆の前記挟持部は、前記第１の弾性当接リブの前記第１の位置規制部及び前記第２の弾性当接リブの前記第２の位置規制部をそれぞれ挟持することを特徴とする請求項４に記載の椅子用腰当て構造。
【発明の詳細な説明】
【技術分野】
【０００１】
本発明は、椅子用腰当て構造に関し、特に、使用者が身体を捩じったとき、それに伴って捩じり動作を発生させてユーザの背中及び腰をシートバックフレーム及び腰当てに密着させ、座り心地を良くする椅子用腰当て構造に関する。
【背景技術】
【０００２】
従来の椅子の腰当て構造は、シートバックに連結固定されていることが一般的である。そのため、シートバックに連結固定される腰当ては、その位置を調整することができない上、従来の椅子のシートバックプレートは硬質材料からなることが一般的である。使用者が座る姿勢を変えるために身体を捩じるとき、従来のシートバック及びその上に取付けられた腰当てなどは、使用者が身体を捩じるのに応じて発生する捩じり動作及び角度を調整することができるものの、使用者が身体を左右に捻るとき、腰及び背中の一側がシートバック及び腰当てから離れて腰及び背中の支えが失われることがあった。そのため、従来の椅子では座る者が腰、背中などを傷めて不快に感じることがあった。
【発明の概要】
【発明が解決しようとする課題】
【０００３】
本発明の目的は、使用者が身体を捩じったとき、それに伴って捩じり動作を発生させてユーザの背中及び腰をシートバックフレーム及び腰当てに密着させ、座り心地を良くする椅子用腰当て構造を提供することにある。
【課題を解決するための手段】
【０００４】
上記課題を解決するために、本発明の第１の形態によれば、シートバックフレーム及び２つの腰当て部材を備えた、椅子用腰当て構造であって、前記シートバックフレームは、可撓性を有し、前記シートバックフレームには、中空領域が形成され、前記シートバックフレームの左右両側には、互いに対をなす２つの弾性当接リブが一体成形され、前記弾性当接リブは、前記中空領域に向かって延びるとともに、前記中空領域の左右両側にそれぞれ位置し、２つの前記弾性当接リブには、位置規制部がそれぞれ設けられ、前記腰当て部材は、スイングアームと、前記スイングアームに結合された腰当てクッションと、をそれぞれ有し、前記腰当て部材の前記スイングアームには、互いに対をなす第１の端部及び第２の端部が設けられ、２つの前記腰当て部材の前記スイングアームは、前記第１の端部に前記シートバックフレームの左右両側の杆部がそれぞれ枢着され、前記第２の端部に停止杆及び位置決め杆が互いに離隔されるように配置され、前記停止杆の端部には、挟持部が設けられ、２つの前記腰当て部材の前記停止杆の挟持部は、前記シートバックフレームの２つの前記弾性当接リブの前記位置規制部をそれぞれ挟持し、前記位置決め杆には、弾性部が形成され、前記位置決め杆の端部には押圧部が形成され、２つの前記腰当て部材の前記位置決め杆の前記押圧部が、前記シートバックフレームの２つの前記弾性当接リブに当接されて位置決めされることを特徴とする、椅子用腰当て構造を提供する。
【発明の効果】
【０００５】
本発明の椅子用腰当て構造は、使用者が身体を捩じったとき、それに伴って捩じり動作を発生させてユーザの背中及び腰をシートバックフレーム及び腰当てに密着させ、座り心地を良くすることができる。
【図面の簡単な説明】
【０００６】
【図１】本発明の一実施形態に係る椅子用腰当て構造を示す分解斜視図である。
【図２】本発明の一実施形態に係る椅子用腰当て構造を示す斜視図である。
【図３】本発明の一実施形態に係る椅子用腰当て構造を示す正面図である。
【図４】本発明の一実施形態に係る椅子用腰当て構造を示す断面図である。
【図５】本発明の一実施形態に係る椅子用腰当て構造の使用状態の正面図である。
【図６】本発明の一実施形態に係る椅子用腰当て構造の使用状態の断面図である。
【発明を実施するための形態】
【０００７】
図１〜図４を参照する。図１〜図４に示すように、本発明の一実施形態に係る椅子用腰当て構造は、少なくともシートバックフレーム１及び２つの腰当て部材２から構成されてなる。
【０００８】
シートバックフレーム１は、可撓性を有する。シートバックフレーム１は、ポリプロピレンからなるとともに、左右対称に縦向きに設けられた第１の杆部１１及び第２の杆部１２と、上下対称に横向きに設けられた第３の杆部１３及び第４の杆部１４と、を有する。第３の杆部１３及び第４の杆部１４の両端は、第１の杆部１１及び第２の杆部１２の両端にそれぞれ接続される。第１の杆部１１、第２の杆部１２、第３の杆部１３及び第４の杆部１４により中空領域１５が画成される。
シートバックフレーム１の第１の杆部１１及び第２の杆部１２には、互いに対をなす第１の弾性当接リブ１６及び第２の弾性当接リブ１７が一体成形される。第１の弾性当接リブ１６及び第２の弾性当接リブ１７は、中空領域１５に向かって延びるとともに、中空領域１５の左右両側にそれぞれ位置する。第１の弾性当接リブ１６は、第１の杆部１１の上縁から中空領域１５の中央に向かって傾きながら下方へ延びる第１の下斜め部１６１と、第１の杆部１１の下縁から中空領域１５の中央に向かって傾きながら上方へ延びる第１の上斜め部１６２と、第１の下斜め部１６１と第１の上斜め部１６２との間に接続され、中空領域１５の中央に向かって弧状突設された第１の湾曲部１６３と、を有する。第２の弾性当接リブ１７は、第２の杆部１２の上縁から中空領域１５の中央に向かって傾きながら下方へ延びる第２の下斜め部１７１と、第２の杆部１２の下縁から中空領域１５の中央に向かって傾きながら上方へ延びる第２の上斜め部１７２と、第２の下斜め部１７１と第２の上斜め部１７２との間に接続され、中空領域１５の中央に向かって弧状突設された第２の湾曲部１７３と、を有する。
第１の弾性当接リブ１６及び第２の弾性当接リブ１７は、中空領域１５の中央に向かって弧状突設される。第１の弾性当接リブ１６及び第２の弾性当接リブ１７の第１の湾曲部１６３及び第２の湾曲部１７３には、第１の湾曲部１６３及び第２の湾曲部１７３の長手方向に沿った第１の位置規制部１６４及び第２の位置規制部１７４が設けられる。第１の弾性当接リブ１６及び第２の弾性当接リブ１７の下方には、補強リブ１８が設けられる。補強リブ１８は、中空領域１５に横設される。補強リブ１８の左右両端には、第１の杆部１１及び第２の杆部１２がそれぞれ接続され、第１の弾性当接リブ１６及び第２の弾性当接リブ１７の底端には、補強リブ１８の左右両側がそれぞれ接続される。第１の杆部１１及び第２の杆部１２には、第１の弾性当接リブ１６及び第２の弾性当接リブ１７の第１の湾曲部１６３及び第２の湾曲部１７３に対向した箇所に第１の枢着部１１１、１２１がそれぞれ設けられる。
【０００９】
２つの腰当て部材２は、スイングアーム２１及び腰当てクッション２２をそれぞれ含む。スイングアーム２１には、互いに対をなす第１の端部及び第２の端部が設けられる。スイングアーム２１の第１の端部には、第２の枢着部２１１が設けられる。２つの腰当て部材２のスイングアーム２１の第２の枢着部２１１は、シートバックフレーム１の第１の杆部１１及び第２の杆部１２の第１の枢着部１１１、１２１に枢着される。
スイングアーム２１の第２の端部には、停止杆２１２及び位置決め杆２１３が互いに離隔されるように配置される。停止杆２１２及び位置決め杆２１３上には、波状の弾性部２１４，２１５が形成される。停止杆２１２の端部には挟持部２１６が設けられる。位置決め杆２１３の端部には押圧部２１７が形成される。２つの腰当て部材２の停止杆２１２の挟持部２１６は、シートバックフレーム１の第１の弾性当接リブ１６及び第２の弾性当接リブ１７の第１の位置規制部１６４及び第２の位置規制部１７４をそれぞれ挟持し、２つの腰当て部材２の位置決め杆２１３の押圧部２１７が、第１の弾性当接リブ１６の第１の上斜め部１６２及び第２の弾性当接リブ１７の第２の上斜め部１７２に当接されて位置決めされる。また、スイングアーム２１の第１の端部には、嵌入溝２１８が形成される。腰当てクッション２２は、周側が腰当てクッション２２から分離されて一側だけが接続された弾片２２１が設けられる。２つの腰当てクッション２２の弾片２２１は、２つのスイングアーム２１の位置決め杆２１３にそれぞれ嵌着され、２つのスイングアーム２１に結合される。
【００１０】
本発明が取り付けられた椅子に使用者が座る場合、腰当て部材２のスイングアーム２１の一端をシートバックフレーム１に枢着させ、図５に示すように、使用者が２つの腰当て部材２の角度を調整し、腰部を押し当てるのに適切な位置になるように調整することができる。２つの腰当て部材２の停止杆２１２に設けた挟持部２１６と、シートバックフレーム１の第１の弾性当接リブ１６及び第２の弾性当接リブ１７の第１の位置規制部１６４及び第２の位置規制部１７４の挟持により位置拘束し、２つの腰当て部材２の揺動角度を適宜制限し、２つの腰当て部材２の位置決め杆２１３に設けた押圧部２１７を第１の弾性当接リブ１６及び第２の弾性当接リブ１７に当接させ、２つの腰当て部材２を所望の角度に調整した後、使用者の必要に応じて２つの腰当て部材２を左右対称に調整するか（図３を参照する）、左右非対称に調整する（図５を参照する）。
【００１１】
使用者が本発明に寄りかかると、背中がシートバックフレーム１の第１の弾性当接リブ１６及び第２の弾性当接リブ１７に接触され、腰部が２つの腰当て部材２の腰当てクッション２２上に押当てられ、腰当てクッション２２の弾片２２１により、腰当てクッション２２に前後の伸縮弾性を付与し、腰当てクッション２２が使用者の腰部に押当てられる密着性を高めることができる。図６を併せて参照する。
図６に示すように、使用者が身体を捻ってストレッチする際、身体を右側に捻って右側の背中が後方へ移動すると、左側の背中が前方へ移動し、使用者の身体右側の背中を後方へ移動させる場合、シートバックフレーム１の第１の弾性当接リブ１６が後方に押圧されると、第１の弾性当接リブ１６及び第２の弾性当接リブ１７と接続した第３の杆部１３などの連動により、シートバックフレーム１の第２の弾性当接リブ１７が相対的に前方へ移動し、使用者の身体左側の背中に密着され、第２の弾性当接リブ１７と接続された左側の腰当て部材２が前方へ移動し、使用者の身体左側の腰部に密着される。
また、使用者の身体を左側に捩じって、左側の背中を後方へ移動させると、右側の背中が前方へ移動し、使用者の身体左側の背中が後方へ移動し、シートバックフレーム１の第２の弾性当接リブ１７を後方へ押圧すると、第１の弾性当接リブ１６及び第２の弾性当接リブ１７に接続された第３の杆部１３などの連動により、シートバックフレーム１の第１の弾性当接リブ１６が前方へ移動し、使用者の身体右側の背中に密着される。また、第１の弾性当接リブ１６と接続された右側の腰当て部材２も前方へ移動し、使用者の身体右側の腰部に密着される。
【００１２】
このように、本発明のシートバックフレーム１は、使用者が身体を捻ると、その動きに対応して弾性が生じるため、使用者が座る姿勢を変えるために体を捩じるとき、使用者の身体の腰及び背中をシートバックフレーム１及び腰当て部材２に密着させ続けることができる上、本発明の構造が簡素で複雑でないため、組立及びメンテナンスを容易にして利便性を高め、組立及びメンテナンスにかかる時間を減らすことができる。
【符号の説明】
【００１３】
１  シートバックフレーム
２  腰当て部材
１１  第１の杆部
１２  第２の杆部
１３  第３の杆部
１４  第４の杆部
１５  中空領域
１６  第１の弾性当接リブ
１７  第２の弾性当接リブ
１８  補強リブ
２１  スイングアーム
２２  腰当てクッション
１１１  第１の枢着部
１２１  第１の枢着部
１６１  第１の下斜め部
１６２  第１の上斜め部
１６３  第１の湾曲部
１６４  第１の位置規制部
１７１  第２の下斜め部
１７２  第２の上斜め部
１７３  第２の湾曲部
１７４  第２の位置規制部
２１１  第２の枢着部
２１２  停止杆
２１３  位置決め杆
２１４  弾性部
２１５  弾性部
２１６  挟持部
２１７  押圧部
２１８  嵌入溝
２２１  弾片
【要約】
【課題】座り心地が良いシートバックフレームの捩じり構造を提供する。
【解決手段】椅子用腰当て構造は、シートバックフレーム１及び２つの腰当て部材２を備える。シートバックフレーム１は、可撓性を有し、中空領域１５が形成される。シートバックフレーム１の左右両側には、互いに対をなす２つの弾性当接リブ１６，１７が一体成形される。弾性当接リブ１６，１７は、中空領域１５に向かって延びるとともに、中空領域１５の左右両側にそれぞれ位置する。２つの弾性当接リブ１６，１７には、位置規制部１６４，１７４がそれぞれ設けられる。腰当て部材２は、スイングアーム２１と、スイングアーム２１に結合された腰当てクッション２２とをそれぞれ有する。腰当て部材２のスイングアーム２１には、互いに対をなす第１の端部及び第２の端部が設けられる。
【選択図】図１【図１】
0006901096.tif 000002
【図２】
0006901096.tif 000003
【図３】
0006901096.tif 000004
【図４】
0006901096.tif 000005
【図５】
0006901096.tif 000006
【図６】
0006901096.tif 000007